(57)【要約】【課題】戸袋内の引戸走行案内部の点検を作業性良く行なうことができる戸袋付き引戸ユニットを提供する。【解決手段】戸枠１内の戸袋領域に、複数本の縦材１１と横材１２を組合わせた骨組み体からなる戸袋壁本体１０を戸枠１に固定して配置し、その戸袋壁本体１０の外面を、戸枠１に設けられた溝部２２に縁部を嵌込んで着脱可能に支持させた戸袋壁表面パネル２４により覆うとともに、この戸袋壁表面パネル２４を、戸袋壁本体１０の戸袋口側の縁部に着脱可能に取付けた方立材２８により戸袋口側から押え固定した。【選択図】図２
2007031975.tif 000002
【特許請求の範囲】
【請求項１】
左右一対の縦枠材と鴨居材及び敷居材とを互いに連結して組立てられ、建屋内の壁構造の開口内に据付けられる戸枠と、前記戸枠内に設けられ、前記鴨居材の下面と前記敷居材の上面の少なくとも一方に設けられた走行案内部に沿って走行する引戸と、複数本の縦材と横材を組合わせた骨組み体からなり、前記戸枠内の戸袋領域に、前記戸枠に固定して配置される戸袋壁本体と、前記戸袋壁本体の外面を覆って配置され、前記戸枠に設けられた溝部に縁部を嵌込んで着脱可能に支持される戸袋壁表面パネルと、前記戸袋壁本体の戸袋口側の縁部に着脱可能に取付けられ、前記戸袋壁表面パネルを前記戸袋口側から押え固定する方立材とからなることを特徴とする戸袋付き引戸ユニット。
【請求項２】
戸袋壁本体の骨組み体の少なくとも一方の面に、その上端側と下端側の部分を除いて補強板が固定されていることを特徴とする請求項１に記載の戸袋付き引戸ユニット。
【請求項３】
戸袋壁表面パネルは、戸袋壁本体の上端側と下端側のうち、引戸走行案内部側の領域に対応するパネル板と、前記戸袋壁本体の他の領域に対応する少なくとも１枚のパネル板とに分割されており、前記戸袋壁本体の外面に、前記各パネル板の境界部に対応させて、上下に前記各パネル板の互いに隣接する縁部をそれぞれ着脱可能に支持するパネル板嵌込み溝を有する目地部材が設けられていることを特徴とする請求項１または２に記載の戸袋付き引戸ユニット。
【請求項４】
戸袋壁表面パネルは、戸袋壁本体の上端側の領域に対応する上パネル板と、前記戸袋壁本体の下端側の領域に対応する下パネル板と、前記戸袋壁本体の他の領域の複数段の領域にそれぞれ対応する複数枚の中間パネル板とに分割されており、前記戸袋壁本体の外面に、前記上パネル板とそれに隣接する中間パネル板との境界部と、前記下パネル板とそれに隣接する中間パネル板との境界部と、前記複数枚の中間パネル板同士の境界部とにそれぞれ対応させて目地部材が設けられていることを特徴とする請求項３に記載の戸袋付き引戸ユニット。
【請求項５】
目地部材に、壁掛け物を支持する壁掛け具を着脱可能に掛止するための壁掛け具掛止部が設けられていることを特徴とする請求項４に記載の戸袋付き引戸ユニット。
【発明の詳細な説明】
【技術分野】
【０００１】
この発明は、戸袋付き引戸ユニットに関する。
【背景技術】
【０００２】
建屋内の隣合う室間や室と廊下との間の壁構造の開口内に設けられる戸袋付き引戸ユニットとしては、従来、特許文献１及び２に記載されている構成のものがある。
【特許文献１】特開２００１−２０７７５０号公報
【特許文献２】特開２００１−３０３８７０号公報
【発明の開示】
【発明が解決しようとする課題】
【０００３】
しかし、従来の戸袋付き引戸ユニットは、その戸袋壁の取外しが面倒であり、そのために、戸袋内の引戸走行案内部の点検に手間がかかるという問題をもっている。
【０００４】
この発明は、戸袋内の引戸走行案内部の点検を作業性良く行なうことができる戸袋付き引戸ユニットを提供することを目的としたものである。
【課題を解決するための手段】
【０００５】
この発明の戸袋付き引戸ユニットは、左右一対の縦枠材と鴨居材及び敷居材とを互いに連結して組立てられ、建屋内の壁構造の開口内に据付けられる戸枠と、前記戸枠内に設けられ、前記鴨居材の下面と前記敷居材の上面の少なくとも一方に設けられた走行案内部に沿って走行する引戸と、複数本の縦材と横材を組合わせた骨組み体からなり、前記戸枠内の戸袋領域に、前記戸枠に固定して配置される戸袋壁本体と、前記戸袋壁本体の外面を覆って配置され、前記戸枠に設けられた溝部に縁部を嵌込んで着脱可能に支持される戸袋壁表面パネルと、前記戸袋壁本体の戸袋口側の縁部に着脱可能に取付けられ、前記戸袋壁表面パネルを前記戸袋口側から押え固定する方立材とからなることを特徴とする。
【０００６】
この戸袋付き引戸ユニットにおいて、前記戸袋壁本体は、前記骨組み体の少なくとも一方の面に、その上端側と下端側の部分を除いて補強板を固定したものが望ましい。
【０００７】
また、この戸袋付き引戸ユニットにおいては、前記戸袋壁表面パネルを、前記戸袋壁本体の上端側と下端側のうち、前記引戸走行案内部側の領域に対応するパネル板と、前記戸袋壁本体の他の領域に対応する少なくとも１枚のパネル板とに分割し、前記戸袋壁本体の外面に、前記各パネル板の境界部に対応させて、上下に前記各パネル板の互いに隣接する縁部をそれぞれ着脱可能に支持するパネル板嵌込み溝を有する目地部材を設けるのが望ましい。
【０００８】
その場合、前記戸袋壁表面パネルは、前記戸袋壁本体の上端側の領域に対応する上パネル板と、前記戸袋壁本体の下端側の領域に対応する下パネル板と、前記戸袋壁本体の他の領域の複数段の領域にそれぞれ対応する複数枚の中間パネル板とに分割し、前記戸袋壁本体の外面に、前記上パネル板とそれに隣接する中間パネル板との境界部と、前記下パネル板とそれに隣接する中間パネル板との境界部と、前記複数枚の中間パネル板同士の境界部とにそれぞれ対応させて目地部材を設けのが好ましい。
【０００９】
さらに、この戸袋付き引戸ユニットにおいては、前記目地部材に、壁掛け物を支持する壁掛け具を着脱可能に掛止するための壁掛け具掛止部を設けるのが望ましい。
【発明の効果】
【００１０】
この発明の戸袋付き引戸ユニットは、戸枠内の戸袋領域に、複数本の縦材と横材を組合わせた骨組み体からなる戸袋壁本体を前記戸枠に固定して配置し、前記戸袋壁本体の外面を、前記戸枠に設けられた溝部に縁部を嵌込んで着脱可能に支持させた戸袋壁表面パネルにより覆うとともに、この戸袋壁表面パネルを、前記戸袋壁本体の戸袋口側の縁部に着脱可能に取付けた方立材により前記戸袋口側から押え固定したものであるため、前記戸袋壁本体から前記方立材を取外すことにより、前記戸袋壁表面パネルを簡単に取外すことができる。
【００１１】
そして、前記戸袋壁本体は、複数本の縦材と横材を組合わせた骨組み体であるため、この戸袋壁本体を前記戸枠内に固定したまま、その縦材及び横材の間の空間から戸袋内の引戸走行案内部を点検することができる。
【００１２】
したがって、この戸袋付き引戸ユニットによれば、戸袋内の引戸走行案内部の点検を作業性良く行なうことができる。
【００１３】
この戸袋付き引戸ユニットにおいて、前記戸袋壁本体は、前記骨組み体の少なくとも一方の面に、その上端側と下端側の部分を除いて補強板を固定したものが望ましく、このようにすることにより、前記戸袋壁本体の強度を高くするとともに、前記戸袋内の引戸走行案内部を、前記縦材及び横材の間の空間から点検することができる。
【００１４】
また、この戸袋付き引戸ユニットにおいては、前記戸袋壁表面パネルを、前記戸袋壁本体の上端側と下端側のうち、前記引戸走行案内部側の領域に対応するパネル板と、前記戸袋壁本体の他の領域に対応する少なくとも１枚のパネル板とに分割し、前記戸袋壁本体の外面に、前記各パネル板の境界部に対応させて、上下に前記各パネル板の互いに隣接する縁部をそれぞれ着脱可能に支持するパネル板嵌込み溝を有する目地部材を設けるのが望ましく、このようにすることにより、前記分割された各パネル板を、前記戸枠の溝部と前記目地部材のパネル板嵌込み溝とに支持させて配置するとともに、前記戸袋内の引戸走行案内部の点検を、前記分割された各パネル板のうち、前記引戸走行案内部側の領域に対応するパネル板を取外すだけで簡単に行なうことができる。
【００１５】
その場合、前記戸袋壁表面パネルは、前記戸袋壁本体の上端側の領域に対応する上パネル板と、前記戸袋壁本体の下端側の領域に対応する下パネル板と、前記戸袋壁本体の他の領域の複数段の領域にそれぞれ対応する複数枚の中間パネル板とに分割し、前記戸袋壁本体の外面に、前記上パネル板とそれに隣接する中間パネル板との境界部と、前記下パネル板とそれに隣接する中間パネル板との境界部と、前記複数枚の中間パネル板同士の境界部とにそれぞれ対応させて目地部材を設けるのが好ましく、このようにすることにより、良好な外観の戸袋壁を構成することができる。
【００１６】
さらに、この戸袋付き引戸ユニットにおいては、前記目地部材に、壁掛け物を支持する壁掛け具を着脱可能に掛止するための壁掛け具掛止部を設けるのが望ましく、このようにすることにより、前記戸袋壁に、飾り棚等の壁掛け物を支持させることができる。
【発明を実施するための最良の形態】
【００１７】
図１〜図８はこの発明の一実施例を示しており、図１は戸袋付き引戸ユニットの正面図、図２及び図３は図１のII−II線及びIII−III線に沿う拡大断面図、図４及び図５は前記戸袋付き引戸ユニットの戸枠の鴨居材及び敷居材の拡大平面図、図６は前記戸袋付き引戸ユニットの戸袋壁本体の正面図、図７は図６のVII−VII線に沿う拡大断面図である。
【００１８】
この戸袋付き引戸ユニットは、図１〜図３に示したように、建屋内の隣合う室間または室と廊下等との間の壁構造Ａの開口内に据付けられる戸枠１と、前記戸枠１内に設けられる引戸８と、前記戸枠１内の戸袋領域に、前記戸枠１に固定して配置される戸袋壁本体１０と、前記戸袋壁本体１０の外面を覆って配置され、前記戸枠１に設けられた溝部２２，２３に縁部を嵌込んで着脱可能に支持される戸袋壁表面パネル２４と、前記戸袋壁本体１０の戸袋口側の縁部に着脱可能に取付けられ、前記戸袋壁表面パネル２４を前記戸袋口側から押え固定する方立材２８とからなっている。
【００１９】
なお、この実施例の戸袋付き引戸ユニットは、前記壁構造Ａの一方の壁面側の開口部を前記戸枠１の外形に対応する形状に形成し、他方の壁面側の開口部を出入口幅に対応する幅に形成した戸枠据付け開口内に、前記一方の壁面側から据付けられるものであり、前記戸枠１内の戸袋領域の前後面の一方は、前記壁構造Ａの他方の壁面部により覆われる。
【００２０】
そのため、この実施例の戸袋付き引戸ユニットでは、その戸袋の一方の面側（壁構造Ａの一方の壁面側）の戸袋壁を、前記戸袋壁本体１０と戸袋壁表面パネル２４とにより構成している。
【００２１】
前記戸袋付き引戸ユニットの戸枠１は、左右一対の縦枠材２，３と鴨居材４及び敷居材５とを互いに連結して組立てられた木製の矩形状枠であり、縦枠材２，３のうち、出入口側の縦枠材２は、前記建屋内の壁構造Ａの壁厚と略同じ幅の板材からなり、戸袋領域側の縦枠材３は、前記壁構造Ａの一方の壁面側の開口部の深さ（壁構造Ａの一方の壁面から他方の壁面部の前記戸袋領域を覆う部分の内面までの距離）と略同じ幅の板材からなっている。
【００２２】
また、鴨居材４と敷居材５は、図４及び図５に示したように、前記出入口に対応する部分を出入口側の縦枠材２と略同じ幅に形成し、前記戸袋領域に対応する部分を、前記壁構造Ａの他方の壁面部側を切欠して前記戸袋領域側の縦枠材３と略同じ幅に形成した板材からなっている。
【００２３】
前記戸枠１は、建屋内の壁構造Ａの開口内に、前記敷居材５の上面高さを室または廊下等の床面Ｂに一致されて配置され、前記壁構造Ａに釘止めまたはボルト止めされて前記開口内に据付けられる。
【００２４】
さらに、この実施例では、前記鴨居材４の下面に、その全長にわたる長さの戸吊レール６を設けて引戸８の走行案内部を構成し、前記出入口側の縦枠材２ａの戸枠１内側の面に、戸当り部材７を設けている。
【００２５】
前記引戸８は、その上端に車輪９を備えており、前記車輪９を戸吊レール６に支持させて戸枠１内に設けられ、前記戸吊レール６からなる走行案内部に沿って戸枠１内を走行する。
【００２６】
また、前記戸袋壁本体１０は、複数本の縦材１１と横材１２を図６のように組合わせた木製の骨組み体からなっており、この骨組み体の両面に、その上端側と下端側の部分を除いて、合板からなる補強板１３が固定されている。
【００２７】
この戸袋壁本体１０は、例えば、３本の縦材１１を等間隔に配置し、前記縦材１１の高さ方向に間隔をおいて複数段に複数本（この実施例では７本）の横材１２を設けたものであり、最も下の横材（以下、下横材という）１２は、その下面を左右の縦材１１の下端に一致させて設けられ、最も上の横材（以下、上横材という）１２は、縦材１１の上端よりもある程度下方に設けられている。
【００２８】
また、前記下横材１２以外の各横材１２は等間隔に設けられており、下横材１２と下から２つ目の横材１２との間隔と、縦材１１の上端と上から２つ目の横材１２との間の距離はそれぞれ、下横材１２以外の各横材１２の間隔の約２倍に設定されている。
【００２９】
そして、前記補強板１３は、前記骨組み体の上から２つ目の横材１２よりも上端側と、下から２つ目の横材１２よりも下端側の部分を除く領域に、補強板上下縁を、前記上から２つ目の横材１２の上縁と下から２つ目の横材１２の下縁とにそれぞれ対応させて設けられ、その領域の各縦材１１及び横材１２に、釘または木ネジあるいは接着により固定されている。
【００３０】
また、前記戸袋壁表面パネル２４は、表面を化粧塗装するか、あるいは表面に化粧フィルムまたは壁紙等を貼付けた合板または樹脂板あるいは金属板からなっている。
【００３１】
この戸袋壁表面パネル２４は、前記戸袋壁本体１０の上から２つ目の横材１２よりも上端側の領域に対応する上パネル板２４ａと、前記戸袋壁本体１０の下から２つ目の横材１２よりも下端側の領域に対応する下パネル板２４ｂと、前記戸袋壁本体１０の他の領域の各横材１２間の複数段の領域にそれぞれ対応する同一幅の複数枚（この実施例では４枚）の中間パネル板２４ｃとに分割されており、前記戸袋壁本体１０の外面（室内または廊下等に対向する面）には、前記上パネル板２４ａとそれに隣接する中間パネル板２４ｃとの境界部と、前記下パネル板２４ｂとそれに隣接する中間パネル板２４ｃとの境界部と、複数枚の中間パネル板２４ｃ同士の境界部とにそれぞれ対応させて、前記各パネル板２４ａ，２４ｂ，２４ｃの互いに隣接する縁部をそれぞれ着脱可能に支持する横長の目地部材１６が設けられている。
【００３２】
前記目地部材１６は、図７に示した断面形状の金属製または樹脂製形材からなっており、その上下に、前記各パネル板２４ａ，２４ｂ，２４ｃの互いに隣接する縁部をそれぞれ着脱可能に支持するパネル板嵌込み溝１７が全長にわたって形成されるとともに、前面に、飾り棚等の壁掛け物を支持する壁掛け具３０を着脱可能に掛止するための壁掛け具掛止部１８が全長にわたって設けられている。
【００３３】
なお、前記壁掛け具掛止部１８は、目地部材１６の前面から凹入し、目地部材１６内に向かって斜め上方に傾斜する断面形状の溝部からなっており、壁掛け具３０は、例えば飾り棚支持部３０ａの基端に前記目地部材１６の壁掛け具掛止部１８に挿入されてその掛止部１８にスライド可能に掛止される掛止部嵌合部３０ｂを設け、前記壁掛け物支持部の下側に、前記戸袋壁表面パネル２４の目地部材１６下のパネル板２４ｂ，２４ｃの前面に当接する支え部３０ｃを設けた金属または樹脂部材からなっている。
【００３４】
また、前記目地部材１６の基部にはフランジ部１９が形成されており、この目地部材１６は、前記戸袋壁本体１０の外面に、前記補強板１３の後側に位置する各横材１２にそれぞれ対応させて配置され、前記フランジ部１９を前記補強板１３に当接させて、木ネジにより前記補強板１３及びその後側の横材１２に固定されている。
【００３５】
そして、前記戸袋壁本体１０は、前記戸枠１内の戸袋領域に、各縦材１１の上端と、最下段の横材１２の下面及び左右の縦材１１の下端とに形成した凸部１４，１５を、戸枠１の鴨居材４の戸袋領域に対応する部分の下面と、敷居材５の戸袋領域に対応する部分の上面とに設けた壁本体嵌合溝２０，２１にそれぞれ嵌込むとともに、前記戸枠１の戸袋領域側の縦枠材３に対向する側縁部を、前記縦枠材３の戸枠１内側の面に設けた溝部２２に嵌入させて配置され、下横材１２を戸枠１内の敷居材５または前記敷居材５と戸袋領域側の縦枠材３とに木ネジにより固定される。
【００３６】
なお、前記戸袋領域側の縦枠材３の溝部２２は、前記戸袋壁本体１０の側縁部と、前記戸袋壁表面パネル２４の各パネル板２４ａ，２４ｂ，２４ｃの端縁部の両方を嵌入させる幅に形成されている。
【００３７】
また、前記鴨居材４及び敷居材５の壁本体嵌合溝２０，２１は、鴨居材４及び敷居材５の戸袋領域側の端縁から、戸袋壁本体１０の左右方向の幅と戸袋領域側の縦枠材３の溝部２２の深さとの合計長よりも若干大きい長さにわたって形成されており、さらに、前記鴨居材４の壁本体嵌合溝２０は、戸袋壁本体１０の下側の凸部１５を敷居材５の壁本体嵌合溝２１に嵌込んだときの前記戸袋壁本体１０の上側の凸部１４の上端位置よりも深く形成され、前記戸袋壁本体１０の上側の凸部１４は、前記壁本体嵌合溝２０の深さよりも高く形成されている。
【００３８】
したがって、前記戸袋壁本体１０を、まずその上側の凸部１４を鴨居材４の壁本体嵌合溝２０に嵌込み、この戸袋壁本体１０を持ち上げてその下側の凸部１５を敷居材５の壁本体嵌合溝２１に嵌込み、その後に、戸袋壁本体１０を戸袋領域の内奥方向に押込んで、その側縁部を前記縦枠材３の溝部２２に嵌入させる簡単な作業で戸枠１内に配置することができる。
【００３９】
そして、前記戸袋壁表面パネル２４は、その各パネル板２４ａ，２４ｂ，２４ｃのうち、上パネル板２４ａを、戸枠１の鴨居材４の戸袋領域に対応する部分の下面に設けたパネル板嵌込み用溝部２３と戸袋壁本体１０の最上段の目地部材１６の上側のパネル板嵌込み溝１７とにパネル板上下縁を嵌込むとともに、戸袋領域側の縦枠材３に設けた前記溝部２２にパネル板端縁を嵌込んで取付け、下パネル板２４ｂを、戸袋壁本体１０の最下段の目地部材１６の下側のパネル板嵌込み溝１７にパネル板上縁を嵌込み、戸枠１の敷居材５の戸袋領域の上面に前記戸袋壁本体１０の外面に沿わせて固定したパネル受け材２５上に貼付けた高反発ウレタン等の高反発弾性材２６にパネル板下縁を支持させるとともに、パネル板下縁を支持させるとともに、前記縦枠材３の溝部２２にパネル板端縁を嵌込んで取付け、複数枚の中間パネル板２４ｃをそれぞれ、戸袋壁本体１０の各段の目地部材１６のパネル板嵌込み溝１７にパネル板上下縁を嵌込むとともに、前記縦枠材３の溝部２２にパネル板端縁を嵌込んで取付けることにより、前記戸袋壁本体１０の外面全体を覆って配置される。
【００４０】
なお、前記鴨居材４のパネル板嵌込み用溝部２３は、鴨居材４の戸袋領域側の端縁から、前記パネル板２４ａ，２４ｂ，２４ｃの長さと戸袋領域側の縦枠材３の溝部２２の深さとの合計長よりも若干大きい長さにわたって、前記上パネル板２４ａの下縁を最上段の目地部材１６のパネル板嵌込み溝１７に嵌込んだときのパネル板上縁位置よりも深く形成されている。
【００４１】
したがって、前記上パネル板２４ａを、まずその上縁を鴨居材４のパネル板嵌込み用溝部２３に嵌込み、この上パネル板２４ａを持ち上げてその下縁を最上段の目地部材１６のパネル板嵌込み溝１７に嵌込み、その後に、上パネル板２４ａを戸袋領域の内奥方向に押込んで、その端縁を前記縦枠材３の溝部２２に嵌入させる簡単な作業で取付けることができる。
【００４２】
また、前記下パネル板２４ｂは、その下縁を前記パネル受け材２５上の高反発弾性材２６に当接させ、この下パネル板２４ｂを前記弾性材２６を圧縮させて押し下げて、パネル板上縁を最下段の目地部材１６のパネル板嵌込み溝１７に嵌込み、その後に、下パネル板２４ｂを戸袋領域の内奥方向に押込んで、その端縁を前記縦枠材３の溝部２２に嵌入させる簡単な作業で取付けることができる。
【００４３】
そして、この実施例では、前記下パネル板２４ｂの下端側の外面と前記パネル受け材２５及びその上の高反発弾性材２６を下縁板２７により覆い隠し、この下縁板２７を前記パネル受け材２５に木ネジにより着脱可能に取付けている。
【００４４】
また、前記複数枚の中間パネル板２４ｃはそれぞれ、その上縁と下縁の一端を、隣合う目地部材１６のパネル板嵌込み溝１７の端部に嵌込み、このパネル板２４ｃを、前記パネル板嵌込み溝１７により案内させて戸袋領域の内奥方向に押込んで、その端縁を前記縦枠材３の溝部２２に嵌入させる簡単な作業で取付けることができる。
【００４５】
一方、前記方立材２８は、前記戸枠１の枠内高さと同じ高さを有しており、前記戸袋壁本体１０の戸袋口側縦材１１の出入口に対向する側面を覆って配置され、その縦材１１に木ネジにより着脱可能に取付けられて前記戸袋壁表面パネル２４の各パネル板２４ａ，２４ｂ，２５ｃを戸袋口側から押え固定している。
【００４６】
また、この戸袋付き引戸ユニットは、前記戸袋壁本体１０及び戸袋壁表面パネル２４の配置側とは反対側の戸袋口に配置する第２の方立材２９を備え、この第２の方立材２９を、前記壁構造Ａの出入口幅に対応する開口部を形成した壁部の前記出入口に対向する側面に木ネジにより取付けている。
【００４７】
この戸袋付き引戸ユニットは、戸枠１内の戸袋領域に、複数本の縦材１１と横材１２を組合わせた骨組み体からなる戸袋壁本体１０を前記戸枠に固定して配置し、前記戸袋壁本体１０の外面を、前記戸枠１に設けられた溝部２２，２３に縁部を嵌込んで着脱可能に支持させた戸袋壁表面パネル２４により覆うとともに、この戸袋壁表面パネル２４を、前記戸袋壁本体１０の戸袋口側の縁部に着脱可能に取付けた方立材２８により前記戸袋口側から押え固定したものであるため、前記戸袋壁本体１０から前記方立材２８を取外すことにより、前記戸袋壁表面パネル２４を簡単に取外すことができる。
【００４８】
そして、前記戸袋壁本体１０は、複数本の縦材１１と横材１２を組合わせた骨組み体であるため、この戸袋壁本体１０を前記戸枠１内に固定したまま、その縦材１１及び横材１２の間の空間から、戸枠１内の引戸走行案内部（鴨居材４の下面に設けられた戸吊レール６の戸袋内の部分）を点検することができる。
【００４９】
したがって、この戸袋付き引戸ユニットによれば、戸袋内の引戸走行案内部の点検を作業性良く行なうことができる。
【００５０】
また、この戸袋付き引戸ユニットは、前記戸袋壁本体１０を、前記骨組み体の両面に、その上端側（上から２つ目の横材１２よりも上端側）と下端側（下から２つ目の横材１２よりも下端側）の部分を除いて補強板１３を固定した構成としているため、戸袋壁本体１０の強度を高くするとともに、戸枠１内の引戸走行案内部を、前記戸袋壁本体１０の上端側の空間から点検することができるとともに、引戸８と戸袋口の方立材２８，２９との隙間から戸袋１内に入り込んで敷居材５上に落ちた異物等の除去を前記戸袋壁本体１０の下端側の空間から行なうことができる。
【００５１】
なお、前記戸袋壁本体１０の補強板１３は、前記骨組み体の一方の面だけに設けてもよく、その場合は、戸袋壁本体１０の外面側に補強板１３を設けるのが好ましい。
【００５２】
また、この戸袋付き引戸ユニットにおいては、戸袋壁表面パネル２４を、戸袋壁本体１０の上端側の領域に対応する上パネル板２４ａと、前記戸袋壁本体１０の下端側の領域に対応する下パネル板２４ｂと、前記戸袋壁本体１０の他の領域の複数段の領域にそれぞれ対応する複数枚の中間パネル板２４ｃとに分割し、前記戸袋壁本体１０の外面に、前記上パネル板２４ａとそれに隣接する中間パネル板２４ｃとの境界部と、前記下パネル板２４ｂとそれに隣接する中間パネル板２４ｃとの境界部と、前記複数枚の中間パネル板２４ｃ同士の境界部とにそれぞれ対応させて、上下に前記各パネル板２４ａ，２４ｂ，２４ｃの互いに隣接する縁部をそれぞれ着脱可能に支持するパネル板嵌込み溝を有する目地部材１６を設けているため、前記分割された各パネル板２４ａ，２４ｂ，２４ｃを、前記戸枠１の溝部２２，２３と前記目地部材１６のパネル板嵌込み溝１７とに支持させて配置し、良好な外観の戸袋壁を構成することができるとともに、前記戸袋内の引戸走行案内部の点検を、前記分割された各パネル板２４ａ，２４ｂ，２４ｃのうち、前記引戸走行案内部側の領域に対応する上パネル板２４ａを取外すことにより、さらに簡単に行なうことができる。
【００５３】
さらに、この戸袋付き引戸ユニットは、前記目地部材１６に、壁掛け物を支持する壁掛け具３０を着脱可能に掛止するための壁掛け具掛止部１８を設けているため、前記戸袋壁に、飾り棚等の壁掛け物を支持させることができる。
【００５４】
図８は、前記戸袋付き引戸ユニットの壁掛け物支持例を示す正面図であり、この例では、前記目地部材１６の壁掛け具掛止部１８に、図７に示したような飾り棚支持部３０ａを有する２つの壁掛け具３０を掛止し、これらの壁掛け具３０の上に飾り棚３１を支持させている。
【００５５】
なお、前記目地部材１６の壁掛け具掛止部１８に掛止する壁掛け具３０は、飾り棚３１を支持するものに限らず、他の壁掛け物を支持するものでもよい。
【００５６】
また、上記実施例では、戸袋壁表面パネル２４を、上パネル板２４ａと下パネル板２４ｂと複数枚の中間パネル板２４ｃとに分割しているが、戸袋壁表面パネル２４は、前記上パネル板２４ａ及び下パネル板２４ｂと１枚の中間パネル板２４ｃとに分割してもよい。
【００５７】
さらに、戸袋壁表面パネル２４は、戸袋壁本体１０の上端側と下端側のうち、引戸走行案内部側の領域に対応する上パネル板２４ａと、前記戸袋壁本体１０の他の領域に対応するパネル板とに分割し、前記戸袋壁本体の外面に、前記各パネル板の境界部に対応させて前記目地部材１６を設けてもよく、このようにすることにより、前記分割された各パネル板を、前記戸枠１の溝部２２，２３と前記目地部材１６のパネル板嵌込み溝１７とに支持させて配置するとともに、戸袋内の引戸走行案内部の点検を、前記分割された各パネル板のうち、前記引戸走行案内部側の領域に対応する上パネル板２４ａを取外すだけで簡単に行なうことができる。
【００５８】
なお、上記実施例では、戸袋壁表面パネル２４の上パネル板２４ａを、戸袋壁本体１０の上から２つ目の横材１２よりも上端側の領域に対応する幅に形成しているが、前記上パネル板２４ａを、前記戸袋壁本体１０の最も上の横材１２よりも上端側の領域に対応する幅に形成し、前記戸袋壁本体１０の最も上の横材１２に対応する部分にも目地部材１６を設けてもよく、その場合は、前記戸袋壁本体１０の補強板１３を、その上縁を前記骨組み体の上から２つ目の横材１２に対応させて設けてもよい。
【００５９】
なお、上記実施例の戸袋付き引戸ユニットは、戸枠１の鴨居材４の下面に、戸吊レール６からなる引戸走行案内部を設けたものであるが、この発明は、戸枠１の敷居材５の上面と鴨居材４の下面とに例えば引戸案内溝からなる引戸走行案内部を設けた戸袋付き引戸ユニットにも適用することができる。
【００６０】
その場合は、戸袋壁表面パネル２４を、戸袋壁本体１０の上端側と下端側の両方の領域（引戸走行案内部側の領域）にそれぞれ対応する２枚パネル板と、前記戸袋壁本体１０の他の領域に対応する少なくとも１枚のパネル板とに分割し、前記戸袋壁本体１０の外面に、前記各パネル板の境界部に対応させて、上下に前記各パネル板の互いに隣接する縁部をそれぞれ着脱可能に支持するパネル板嵌込み溝１７を有する目地部材１６を設ければよく、このようにすることにより、前記分割された各パネル板を、戸枠１の溝部２２，２３と前記目地部材１６のパネル板嵌込み溝１７とに支持させて配置するとともに、戸袋内の引戸走行案内部の点検を、前記分割された各パネル板のうち、前記引戸走行案内部側の領域に対応する上下のパネル板を取外すだけで簡単に行なうことができる。
【００６１】
また、戸袋壁表面パネル２４は、その全体を１枚板としてもよく、その場合も、１枚板からなる戸袋壁表面パネルを、その縁部を戸枠１に設けられた溝部２２，２３に嵌込んで着脱可能に支持させ、この戸袋壁表面パネルを、戸袋壁本体１０の戸袋口側の縁部に着脱可能に取付けた方立材２８により前記戸袋口側から押え固定することにより、戸袋壁表面パネルを、前記方立材２８を取外すことにより簡単に取外すことができるようにし、戸袋内の上下の引戸走行案内部の点検を作業性良く行なうことができる。
【００６２】
さらに、上記実施例の戸袋付き引戸ユニットは、壁構造Ａの一方の壁面側の開口部を戸枠１の外形に対応する形状に形成し、他方の壁面側の開口部を出入口幅に対応する幅に形成した戸枠据付け開口内に据付けられるものであるが、この発明は、壁構造Ａの両方の壁面側の開口部を前記戸枠１の外形に対応する形状に形成した戸枠据付け開口内に据付けらる戸袋付き引戸ユニットにも適用することができ、その場合は、戸袋の一方の面側の戸袋壁を、戸袋壁本体１０と戸袋壁表面パネル２４とにより構成し、他方の面側の戸袋壁を、前記戸袋壁本体１０と戸袋壁表面パネル２４と同じ部材により構成するか、あるいは他の壁材により構成すればい。
【００６３】
また、上記実施例の戸袋付き引戸ユニットは、１枚の引戸８を備えたものであるが、この発明は、互いに平行に設けた複数の走行案内部に沿って出入口と戸袋領域とに走行する複数枚の引戸を備えた戸袋付き引戸ユニットにも、また、戸枠の両端側に戸袋を設け、２枚の引戸の一方を一端側の戸袋に格納し、他方の引戸を他端側の戸袋に格納する両開き型の戸袋付き引戸ユニットにも適用することができる。
【図面の簡単な説明】
【００６４】
【図１】この発明の一実施例を示す戸袋付き引戸ユニットの正面図。
【図２】図１のII−II線に沿う拡大断面図。
【図３】図１のIII−III線に沿う拡大断面図。
【図４】戸枠の鴨居材の拡大平面図。
【図５】戸枠の敷居材の拡大平面図。
【図６】戸袋壁本体の正面図。
【図７】図６のVII−VII線に沿う拡大断面図。
【図８】戸袋付き引戸ユニットの壁掛け物支持例を示す正面図。
【符号の説明】
【００６５】
１…戸枠、２，３…縦枠材、４…鴨居材、５…敷居材、６…戸吊レール（引戸走行案内部）、８…引戸、１０…戸袋壁本体、１１…縦材、１２…横材、１３…補強板、１６…目地部材、１７…パネル板嵌込み溝、１８…壁掛け具掛止部、２２，２３…溝部、２４…戸袋壁表面パネル、２４ａ，２４ｂ，２４ｃ…パネル板、２８…方立材、３０…壁掛け具。
【図１】
2007031975.tif 000003
【図２】
2007031975.tif 000004
【図３】
2007031975.tif 000005
【図４】
2007031975.tif 000006
【図５】
2007031975.tif 000007
【図６】
2007031975.tif 000008
【図７】
2007031975.tif 000009
【図８】
2007031975.tif 000010